(57)【要約】【課題】  全体の小型化を図ることができるモータを提供する。【解決手段】  円筒状のヨーク１１と、ヨーク１１の前後端にスルーボルト１４で固定される一対のブラケット１２，１３と、ヨーク１１の内周面１１ｃに固着される複数のマグネット１５と、一対のブラケット間に各軸受１６を介して回転自在に支持されたアーマチュア軸１７と、アーマチュア軸の各マグネット１５に対向する位置に取り付けられたアーマチュア１８を備え、一方のブラケット１３にスルーボルト１４の雄ねじ部１４ｃが螺合される雌ねじ部１３ｅを形成し、他方のブラケット１２にスルーボルト１４のヘッド部１４ａが係止される係止部１２ｅを形成したモータ１０において、一方のブラケット１３の雌ねじ部１３ｅ及び他方のブラケット１２の係止部１２ｅを円筒状のヨーク１１より内側の位置に形成して、スルーボルト１４を円筒状のヨーク１１内に貫通させるようにした。【選択図】      図１
2006304508.tif 000002
【特許請求の範囲】
【請求項１】
円筒状のヨークと、この円筒状のヨークの前後端に非磁性体から成るスルーボルトを介して締め付け固定される一対のブラケットと、前記円筒状のヨークの内周面に固着される複数のマグネットと、前記一対のブラケット間に各軸受を介して回転自在に支持されたアーマチュア軸と、このアーマチュア軸の前記複数のマグネットに対向する位置に取り付けられたアーマチュアとを備え、前記一対のブラケットのうちの一方のブラケットに前記スルーボルトのシャンク部の先端に形成された雄ねじ部が螺合される雌ねじ部を形成すると共に、該一対のブラケットのうちの他方のブラケットに前記スルーボルトのヘッド部が係止される係止部を形成したモータにおいて、
前記一方のブラケットの雌ねじ部及び前記他方のブラケットの係止部を前記円筒状のヨークより内側の位置にそれぞれ形成すると共に、前記スルーボルトを前記円筒状のヨーク内に貫通させるようにしたことを特徴とするモータ。
【請求項２】
請求項１記載のモータであって、
前記一方のブラケットの雌ねじ部及び前記他方のブラケットの係止部を前記複数のマグネット間のスペースに対向する位置にそれぞれ形成したことを特徴とするモータ。
【発明の詳細な説明】
【技術分野】
【０００１】
本発明は、円筒状のヨークの前後端に非磁性体から成るスルーボルトを介して一対のブラケットを締め付け固定した磁石式直流モータ等のモータに関する。
【背景技術】
【０００２】
この種の直流モータとして、図３，図４に示すものがある（例えば、特許文献１参照。）。
【０００３】
このモータ１は、図３に示すように、円筒状のヨーク２と、この円筒状のヨーク２の前後端に非磁性体から成るスルーボルト５を介して締め付け固定される前後一対のブラケット３，４と、円筒状のヨーク２の内周面２ａに固着される一対のマグネット６，６と、前後一対のブラケット３，４間に各軸受７を介して回転自在に支持されたアーマチュア軸８と、このアーマチュア軸８の一対のマグネット６，６に対向する位置に取り付けられたアーマチュア９とを備えている。
【０００４】
図３に示すように、円筒状のヨーク２の外周面２ｂの１８０°相対向する位置には、軸方向に延びる円弧凹状の切欠部２ｃ，２ｃを形成してある。また、図３，図４に示すように、前側のブラケット３の一対の切欠部２ｃ，２ｃに対向する位置には半円形状の突出片部３ａ，３ａをそれぞれ一体突出形成してあり、この各突出片部３ａの中央にはスルーボルト５のシャンク部５ｂの先端に形成された雄ねじ部５ｃが螺合される孔状の雌ねじ部３ｂを形成してある。さらに、図３に示すように、後側のブラケット４の各切欠部２ｃに対向する位置には、スルーボルト５のヘッド部５ａが係止されるＵ字状の係止凹部４ａを一体突出形成してある。
【０００５】
【特許文献１】特開平１−１３３５４９号公報
【発明の開示】
【発明が解決しようとする課題】
【０００６】
しかしながら、前記従来のモータ１では、円筒状のヨーク２の前後端に前後一対のブラケット３，４を締め付け固定するスルーボルト５が該円筒状のヨーク２の外側に配置されているため、その分モータ１全体が大型化した。
【０００７】
そこで、本発明は、前記した課題を解決すべくなされたものであり、円筒状のヨークの前後端に一対のブラケットを締め付け固定するスルーボルトを該円筒状のヨークの内側に配置させて全体の小型化を図ることができるモータを提供することを目的する。
【課題を解決するための手段】
【０００８】
請求項１の発明は、円筒状のヨークと、この円筒状のヨークの前後端に非磁性体から成るスルーボルトを介して締め付け固定される一対のブラケットと、前記円筒状のヨークの内周面に固着される複数のマグネットと、前記一対のブラケット間に各軸受を介して回転自在に支持されたアーマチュア軸と、このアーマチュア軸の前記複数のマグネットに対向する位置に取り付けられたアーマチュアとを備え、前記一対のブラケットのうちの一方のブラケットに前記スルーボルトのシャンク部の先端に形成された雄ねじ部が螺合される雌ねじ部を形成すると共に、該一対のブラケットのうちの他方のブラケットに前記スルーボルトのヘッド部が係止される係止部を形成したモータにおいて、前記一方のブラケットの雌ねじ部及び前記他方のブラケットの係止部を前記円筒状のヨークより内側の位置にそれぞれ形成すると共に、前記スルーボルトを前記円筒状のヨーク内に貫通させるようにしたことを特徴とする。
【０００９】
請求項２の発明は、請求項１記載のモータであって、前記一方のブラケットの雌ねじ部及び前記他方のブラケットの係止部を前記複数のマグネット間のスペースに対向する位置にそれぞれ形成したことを特徴とする。
【発明の効果】
【００１０】
以上説明したように、請求項１の発明によれば、一方のブラケットの雌ねじ部及び他方のブラケットの係止部を円筒状のヨークより内側の位置にそれぞれ形成すると共に、非磁性体から成るスルーボルトを円筒状のヨーク内に貫通させたことにより、モータ全体の小型化を図ることができる。
【００１１】
請求項２の発明によれば、一方のブラケットの雌ねじ部及び他方のブラケットの係止部を複数のマグネット間のスペースに対向する位置にそれぞれ形成したことにより、円筒状のヨーク内の複数のマグネット間のスペースをスルーボルトの設置スペースとして有効利用することができる。
【発明を実施するための最良の形態】
【００１２】
以下、本発明の一実施形態を図面に基づいて説明する。
【００１３】
図１は本発明の一実施形態のモータを示す断面図、図２は図１中Ｘ−Ｘ線に沿う断面図である。
【００１４】
図１，図２に示すように、モータ１０は、金属製で円筒状のヨーク１１と、この円筒状のヨーク１１の前端１１ａ及び後端１１ｂにＳＵＳ材等の非磁性体から成るスルーボルト１４を介して締め付け固定される前後一対のブラケット１２，１３と、円筒状のヨーク１１の内周面１１ｃに固着される一対のマグネット１５，１５と、前後一対のブラケット１２，１３間に各軸受１６を介して回転自在に支持されたアーマチュア軸１７と、このアーマチュア軸１７の一対のマグネット１５，１５に対向する位置に取り付けられたアーマチュア１８とを備えている。
【００１５】
図１に示すように、前側のブラケット（他方のブラケット）１２は略円板状の平坦部１２ａと該平坦部１２ａの下面の中央に一体突出形成された円筒部１２ｂとを有しており、該円筒部１２ｂの下端内縁部１２ｃを円筒状のヨーク１１の前端１１ａ内に嵌め込んである。また、前側のブラケット１２の平坦部１２ａの中央には丸孔１２ｄを形成してあり、該丸孔１２ｄ内に軸受１６を嵌め込んである。さらに、前側のブラケット１２の平坦部１２ａの一対のマグネット１５，１５との間のスペースに対向する位置には、スルーボルト１４のヘッド部１４ａが係止される係止孔（係止部）１２ｅをそれぞれ形成してある。
【００１６】
図１，図２示すように、後側のブラケット（一方のブラケット）１３は略三角板状の平坦部１３ａと該平坦部１３ａの上面の中央に一体突出形成された円筒部１３ｂとを有しており、該円筒部１３ｂの上端内縁部１３ｃを円筒状のヨーク１１の後端１１ｂ内に嵌め込んである。また、後側のブラケット１３の平坦部１３ａの中央には丸孔１３ｄを形成してあり、該丸孔１３ｄ内に軸受１６を嵌め込んである。さらに、後側のブラケット１３の平坦部１３ａの一対のマグネット１５，１５との間のスペースに対向する位置には、スルーボルト１４のシャンク部１４ｂの先端に形成された雄ねじ部１４ｃが螺合される穴状の雌ねじ部１３ｅをそれぞれ形成してある。
【００１７】
即ち、図１，図２に示すように、前側のブラケット１２の係止孔１２ｅ及び後側のブラケット１３の穴状の雌ねじ部１３ｅは、円筒状のヨーク１１より内側の一対のマグネット１５，１５との間の各スペースに対向する位置にそれぞれ形成してある。これにより、各スルーボルト１４は円筒状のヨーク１１の内部を貫通するように配置されている。尚、後側のブラケット１３の略三角板状の平坦部１３ａの各頂部には取付孔１３ｆをそれぞれ形成してある。
【００１８】
また、アーマチュア１８は、アーマチュア軸１７の基端部１７ａの近傍に固定され、所定のスロット数のコイル巻回部１８ｂを持つアーマチュアコア１８ａと、このアーマチュアコア１８ａのコイル巻回部１８ｂに巻き回されたアーマチュアコイル１８ｃとで構成されている。
【００１９】
さらに、アーマチュア軸１７の円筒状のヨーク１１と前側のブラケット１２との境部分に対向する位置には、コンミュテータ１９を固定してある。このコンミュテータ１９はアーマチュアコア１８ａのコイル巻回部１８ｂと同数のコンミュテータ片１９ａを備えていて、各コンミュテータ片１９ａとアーマチュアコイル１８ｃとは電気的にそれぞれ接続されている。
【００２０】
さらに、前側のブラケット１２の平坦部１２ａの下面には、ホルダ２０を介して一対のブラシ２１，２１をコンミュテータ片１９ａに接触するように取り付けてある。そして、各ブラシ２１等を介して電流がアーマチュア１８等に流れることでアーマチュア軸１７が正逆回転するようになっている。
【００２１】
尚、図１に示すように、前側のブラケット１２の平坦部１２ａの上面側はカバー２２で覆われている。また、アーマチュア軸１７の先端部１７ｂは前側のブラケット１２の平坦部１２ａとカバー２２との間に位置していると共に、該先端部１７ｂには電磁クラッチ機構３０等が取り付けられている。
【００２２】
以上実施形態のモータ１０によれば、前側のブラケット１２の係止孔１２ｅ及び後側のブラケット１３の穴状の雌ねじ部１３ｅを円筒状のヨーク１１より内側の位置にそれぞれ形成して、非磁性体から成るスルーボルト１４を円筒状のヨーク１１の内部に貫通させたことにより、従来のスルーボルト５を円筒状のヨーク２の外側に配置したモータ１に比べて、モータ１０全体の小型化を図ることができる。
【００２３】
また、前側のブラケット１２の係止孔１２ｅ及び後側のブラケット１３の穴状の雌ねじ部１３ｅを一対のマグネット１５，１５間のスペースに対向する位置にそれぞれ形成したことにより、円筒状のヨーク１１内の一対のマグネット１５，１５間のスペースをスルーボルト１４の設置スペースとして有効利用することができる。
【００２４】
さらに、一対のマグネット１５，１５間に配置される各スルーボルト１４が非磁性体で形成されているため、該一対のマグネット１５，１５からの磁気の影響を受けることがない。即ち、スルーボルト１４が磁路の形成の障害とならない。また、アーマチュア１８の回転に伴う磁気の変化によるスルーボルト１４の共振がなく、異音が発生しない。
【図面の簡単な説明】
【００２５】
【図１】本発明の一実施形態のモータを示す断面図である。
【図２】図１中Ｘ−Ｘ線に沿う断面図である。
【図３】従来のモータの断面図である。
【図４】上記従来のモータの正面図である。
【符号の説明】
【００２６】
１０  モータ
１１  円筒状のヨーク
１１ａ  前端
１１ｂ  後端
１１ｃ  内周面
１２，１３  一対のブラケット
１２  前側のブラケット（他方のブラケット）
１２ｅ  係止孔（係止部）
１３  後側のブラケット（一方のブラケット）
１３ｅ  雌ねじ部
１４  スルーボルト
１４ａ  ヘッド部
１４ｂ  シャンク部
１４ｃ  雄ねじ部
１５  マグネット
１６  軸受
１７  アーマチュア軸
１８  アーマチュア
【図１】
2006304508.tif 000003
【図２】
2006304508.tif 000004
【図３】
2006304508.tif 000005
【図４】
2006304508.tif 000006